(57)【特許請求の範囲】
【請求項１】
底面板２と、この底面板２の両側縁と連続した側面板３と、この各側面板３の上縁部と連続し長手方向に分離した複数の天面板４でほぼ箱形状で、
前記各天面板４に空気の流通孔６がそれぞれ形成され、
前記各側面板３は、長手方向に分離され、各天面板４とでほぼ下向きコ字形状の蓋７をそれぞれ形成する複数の天面板寄り部分３ａと、この各天面板寄り部分３ａと連続し長手方向に連続した底面板寄り部分３ｂを有し、
前記各側面板３には、天面板寄り部分３ａを底面板寄り部分３ｂから分離する切り取り部５が形成され、
前記各天面板４と各側面板３の上縁部との境目に容器取付用孔８がそれぞれ形成されていることを特徴とする除湿器の包装用容器。
【請求項２】
各天面板４の容器取付用孔８と対向した一部分４ａが側方に突出している請求項１記載の除湿器の包装用容器。
【請求項３】
底面板２と各側面板３との境目に複数の容器支持用孔９が、各容器取付用孔８と対向して形成されている請求項１又は２記載の除湿器の包装用容器。
【発明の詳細な説明】
【０００１】
【発明の属する技術分野】
本発明は、複数の除湿器をひとまとめにして包装する除湿器の包装用容器に関する。
【０００２】
【従来の技術】
容器に除湿剤を収納し、その容器の口部をシートで密封し、このシートをアルミシールで被覆して容器内に湿気が伝わらないようにし、使用時にアルミシールを剥離する除湿器が知られている。
前述の除湿器は、その使用状態などから複数の除湿器をひとまとめにして店頭に陳列して市販されることがある。
このために、複数の除湿器をひとまとめにして包装して運搬し、店頭において複数の除湿器をひとまとめにして陳列できるようにしている。
【０００３】
複数の除湿器をひとまとめにして包装するには、プラスチックのトレーの上に除湿器を並立させてから全体をシュリンク包装したり、箱の内に複数の除湿器を入れて包装したりしている。
【０００４】
前述の除湿器は、アルミシールを剥離して使用するが、シートの保護などのためにアルミシールを剥離した後に空気の流通孔を有する蓋を取付けて使用することがある。
このように、蓋を取付けて使用する除湿器は、前述のように複数の除湿器を包装する際に、複数の蓋をまとめて包装しなければならず、その包装作業がやりづらい。
また、使用者は包装を解いた後にアルミシールを剥離し、除湿器と別になっている蓋を取付けて使用するので、その操作が複雑であって、初めて使用する人などは蓋を取付けることを忘れる恐れがある。
【０００５】
このことを解消するために特開平７−２０４４５０号公報に示す包装のやり方が提案されている。
具体的には、除湿器の使用時に用いる蓋を切り取り部を境として複数連続させて集束枠体とし、この集束枠体で複数の除湿器を並列して保持し、全体をシュリンク包装して複数の除湿器をひとまとめにして包装する。
この包装のやり方であれば、シュリンク包装を解き、集束枠体を切り取り部で切り取ることで蓋を備えた１つの除湿器に分離し、その蓋を取り外してアルミシールを剥離し、再び蓋を取付けて使用できるから、初めて使用する人でも蓋を取付けることを忘れることがなくなる。
【０００６】
【発明が解決しようとする課題】
前述の包装のやり方であると、集束枠体を切り取り部で切り取って１つの蓋とするので、その切り取り跡のために蓋の見栄えが悪く、蓋を取付けた使用時の除湿器の見栄えが悪い。
また、複数の除湿器を集束枠体で保持したままでは不安定であり、全体をシュリンク包装しているので、シュリンク包装設備が必要である。
【０００７】
本発明は前述の課題に鑑みなされたものであり、その目的は、複数の除湿器をひとまとめにして包装できること、初めて使用する人でも蓋の取付けし忘れがないこと、蓋の見栄えが良く蓋を取付けた使用時の除湿器の見栄えが良いこと、シュリンク包装設備が不要であること、を満足した除湿器の包装用容器を提供することである。
【０００８】
【課題を解決するための手段】
第１の発明は、底面板２と、この底面板２の両側縁と連続した側面板３と、この各側面板３の上縁部と連続し長手方向に分離した複数の天面板４でほぼ箱形状で、
前記各天面板４に空気の流通孔６がそれぞれ形成され、
前記各側面板３は、長手方向に分離され、各天面板４とでほぼ下向きコ字形状の蓋７をそれぞれ形成する複数の天面板寄り部分３ａと、この各天面板寄り部分３ａと連続し長手方向に連続した底面板寄り部分３ｂを有し、
前記各側面板３には、天面板寄り部分３ａを底面板寄り部分３ｂから分離する切り取り部５が形成され、
前記各天面板４と各側面板３の上縁部との境目に容器取付用孔８がそれぞれ形成されていることを特徴とする除湿器の包装用容器である。
【０００９】
第２の発明は、第１の発明において各天面板４の容器取付用孔８と対向した一部分４ａが側方に突出している除湿器の包装用容器である。
【００１０】
第３の発明は、第１又は第２の発明において底面板２と各側面板３との境目に複数の容器支持用孔９が、各容器取付用孔８と対向して形成されている除湿器の包装用容器である。
【００１１】
【作  用】
第１の発明によれば、複数の除湿器１０の容器１１における口部の両側方に設けた取付部を各容器取付用孔８にそれぞれ嵌め合わせることで、複数の除湿器１０をひとまとめにして包装できる。
切り取り部５で側面板３の天面板寄り部分３ａを底面板寄り部分３ｂから分離することで除湿器１０は蓋７を備えた状態で分離するから、使用者は蓋７を使用時に利用するものであると認識し、初めて除湿器を使用する人でも蓋７を取付け忘れすることがない。
蓋７を形成する天面板４、側面板３の天面板寄り部分３ａはあらかじめ分離されているから、蓋７の上面部分には切り取り跡が残ることがなく、切り取り跡は蓋７の下方部分に残るから目立つことがなく、蓋の見栄えが良いので、蓋を取付た使用時の除湿器の見栄えが良い。
箱形状の包装用容器で包装するから、複数の除湿器を安定して包装でき、特別にシュリンク包装する必要がなく、シュリンク包装設備が不要である。
【００１２】
第２の発明によれば、天面板４の一部分４ａで容器１１の取付部を被覆することができる。
よって、包装した状態において容器１１の取付部に接着している防湿性シール１５の一部分１５ａが天面板４の一部分４ａで被覆されて目視されないようにでき、包装した状態の見栄えが良く、そのままの状態で陳列した場合に見栄えが良い。
【００１３】
第３の発明によれば、容器１１の下方隅角部１１ａが容器支持用孔９に嵌まり合うので、除湿器１０を運搬時に動くことなしにしっかりとした状態で包装できる。
【００１４】
【発明の実施の形態】
図１に示すように、包装用容器１は底面板２と、その底面板２の幅方向両側縁と連続した２つの側面板３と、各側面板３の上縁部と連続し長手方向に分離した複数の天面板４でほぼ箱形状で、その各側面板３は長手方向に分離した複数（天面板４と同一の数）の天面板寄り部分３ａと、各天面板寄り部分３ａとそれぞれ連続した長手方向に連続した底面板寄り部分３ｂを有する。
前記側面板３には各天面板寄り部分３ａを底面板寄り部分３ｂからそれぞれ分離する切り取り部５が形成してある。
前記各天面板４には空気の流通孔６がそれぞれ形成してある。
前記各側面板３の各天面板寄り部分３ａと各天面板４とでほぼ下向コ字形状の蓋７をそれぞれ形成している。
前記各側面板３の天面板寄り部分３ａと各天面板４との境目部分には容器取付用孔８がそれぞれ形成してある。
前記各側面板３と底面板２との境目部分には容器支持用孔９が長手方向に間隔を置いて複数（天面板４と同じ数）形成してある。
この容器支持用孔９は各容器取付用孔８と対向している。
【００１５】
除湿器１０は図１と図２に示すように、包装用容器１内に複数が収容される形状・大きさの容器１１と、この容器１１内に収納した除湿剤１２と、その容器１１の口部に一体的に設けたフランジ１３と、そのフランジ１３に接着したシート１４と、このシート１４の上面を被覆する防湿性シール１５を備えている。
前記フランジ１３は外向きで、このフランジ１３の平面形状と前記天面板４の平面形状がほぼ同一である。
前記シート１４は空気が流通するが液体が流通しない材質のシートで、除湿器１０の使用時に誤って倒れた時に吸湿して液体となった水が洩れないようにすることを主な目的としている。
【００１６】
前記容器１１の口部の両側方に設けた取付部、例えばフランジ１３の口部の両側方の一部分１３ａが容器取付用孔８に嵌まり合って、除湿器１０が包装用容器１内において運搬時などに動かないようにしっかりと包装される。
また、容器１１の下方隅角部１１ａが容器支持用孔９に嵌まり合って、除湿器１０が包装用容器１内において運搬時等により確実に動かないようにしっかりとした状態で包装される。
【００１７】
前記各天面板４における容器取付用孔８と対向した一部分４ａは側面板３よりも側方に突出し、その一部分４ａで容器１１のフランジ１３における容器取付用孔８から突出した前述の一部分１３ａを被覆するようにしてある。
例えば、前記天面板４の一部分４ａの平面形状、大きさが、前記フランジ１３の一部分１３ａの平面形状・大きさとほぼ同一、好ましくは若干大きい。
【００１８】
これによって、容器１１のフランジ１３の一部分１３ａを被覆している防湿性シール１５の一部分１５ａが天面板４の一部分４ａでカバーされて目視されないので、包装した状態の見栄えが良く、そのまま店頭に陳列した場合に見栄えが良い。
つまり、除湿器１０の防湿性シール１５は通常アルミ材が用いられているので、その防湿性シール１５が目視されると見栄えが悪い。
【００１９】
次に、包装用容器１の具体形状の一例を説明するが、これに限ることはない。図３に示すように、一枚の板２０に一対の一側寄り折り目２１、一対の中央寄り折り目２２、各一側寄り折り目２１と各中央寄り折り目２２との間に切り取り部５（上下方向に間隔を置いた一対のミシン目５ａ，５ａ）をそれぞれ形成する。切り取り部５は１つのミシン目５ａでも良い。
前記一対の中央寄り折り目２２間を複数に切断加工し、その切断加工部２３で一対の中央寄り折り目２２間を複数の天面板４に分離すると共に、その天面板４に空気の流通孔６をそれぞれ形成する。
前記切り取り部５と中央寄り折り目２２との間を複数に切断加工し、この切断加工部２４で前述の切り取り部５と中央寄り折り目２２との間を複数に分離することで、複数の天面板寄り部分３ａを形成する。つまり、この実施の形態では各天面板寄り部分３ａと底面板寄り部分３ｂとの境目に切り取り部５が長手方向に連続して形成してある。
この切断加工部２４は前述の切断加工部２３と連続している。
【００２０】
各中央寄り折り目２２における各天面板４部分にスリット２５を入れる。このスリット２５は切り取り部５に向いた円弧形状である。
各一側寄り折り目２１部分を打ち抜き加工する。この打ち抜き加工部２６は各天面板４と相対向し容器支持用孔９となる。
前記板２０は厚紙、段ボール、樹脂プレートなど加工し易い材料であれば良い。
【００２１】
前述のように加工した板２０を、各中央寄り折り目２２で折ることで、そのスリット２５によって容器取付用孔８が形成される。
各一側寄り折り目２１で折ることで、板２０の一側寄り部２０ａと他側寄り部２０ｂが重なり合って底面板２を形成する。
この重なり合った部分を図２に示すように接着テープ２７などで接着する。なお、重なり合わせるのではなく、突き合わせるようにしても良い。
【００２２】
複数の除湿器１０をまとめて包装する場合には図３に示すように包装用容器１を展開した状態とする。
除湿器１０を上下反転してフランジ１３の一部分１３ａをスリット２５部分に挿入する。
中央寄り折り目２２で折った後に一側寄り折り目２１で折って一側寄り部２０ａと他側寄り２０ｂを重ね合わせ、接着テープ２７などで接着する。
このようであるから、展開した包装用容器１を折りながら複数の除湿器１０を包装できる。
【００２３】
次に、除湿器１０を使用する際のやり方について説明する。
各切り取り部５を切り取って各側面板３を複数の天面板寄り部分３ａと底面板寄り部分３ｂに分離する。
これによって包装が解かれ、各除湿器１０は蓋７を取付けた状態で分離される。
図４に示すように、蓋７を取り外すと共に、除湿用シート１５を剥離する。
図５に示すように、容器１１のフランジ１３の一部分３ａに蓋７の容器取付用孔８を嵌め込んで蓋７を取付ける。
【００２４】
これによって、シート１４が蓋７で保護されると共に、空気の流通孔６で容器１１の内部に湿気を含んだ空気が入り込む。
また、天面板４の一部分４ａで容器１１のフランジ１３の一部分１３ａに接着したシート１４の突出部分１４ａが被覆されて目視されないから、見栄えが良い。
【００２５】
以上の説明は、複数の除湿器１０を同時に全て使用する場合であり、１つの除湿器１０のみを使用する場合には切り取り部５を１つの除湿器１０まで切り取りすれば良い。
【００２６】
図６に示すように、各側面板３の底面板寄り部分３ｂと底面板２とに連続して補助切り取り部３０を、各切り取り部５を経て各切断加工部２４まで形成する。このようにすれば、１つの除湿器１０のみを使用する時に補助切り取り部３０で切り離すことによって、未使用の複数の除湿器１０を包装した状態とすることができる。
【００２７】
図７に示すように、各天面板寄り部分３ａに切り取り部５をそれぞれ形成する。
このようにすれば、切り取り部５で天面板寄り部３ａを分離することで、１つの除湿器１０を分離し、残りの除湿器１０は包装したままとすることができる。この場合にも前述と同様に補助切り取り部３０を形成しても良い。
【００２８】
以上の各実施の形態では容器１１のフランジ１３の一部分１３ａを取付部としたが、フランジとは別に容器１１の口部の両側方に突片を設けて取付部としても良い。
このようにすれば、フランジを外向きではなく内向きとすることが可能である。
また、包装用容器１は折り曲げ加工ではなく、樹脂材によって成形加工しても良い。
【００２９】
【発明の効果】
請求項１に係る発明によれば、複数の除湿器１０の容器１１における口部の両側方に設けた取付部を各容器取付用孔８にそれぞれ嵌め合わせることで、複数の除湿器１０をひとまとめにして包装できる。
各切り取り部５で各側面板３を上下に分離することで各除湿器１０は蓋７を備えた状態でそれぞれ分離するから、使用者は蓋７を使用時に利用するものであると認識し、初めて除湿器を使用する人でも蓋７を取付け忘れすることがない。
蓋７を形成する天面板４、側面板３の天面板寄り部分３ａはあらかじめ分離されているから、蓋７の上面部分には切り取り跡が残ることがなく、切り取り跡は蓋７の下方部分に残るから目立つことがなく、蓋の見栄えが良いので、蓋を取付た使用時の除湿器の見栄えが良い。
箱形状の包装用容器で包装するから、複数の除湿器を安定して包装でき、特別にシュリンク包装する必要がなく、シュリンク包装設備が不要である。
【００３０】
請求項２に係る発明によれば、天面板４の一部分４ａで容器１１の取付部を被覆することができる。
よって、包装した状態において容器１１の取付部に接着している防湿性シール１５の一部分１５ａが天面板４の一部分４ａで被覆されて目視されないようにでき、包装した状態の見栄えが良く、そのままの状態で陳列した場合に見栄えが良い。
【００３１】
請求項３に係る発明によれば、容器１１の下方隅角部１１ａが容器支持用孔９に嵌まり合うので、除湿器１０を運搬時に動くことなしにしっかりとした状態で包装できる。
【図面の簡単な説明】
【図１】本発明の第１の実施形態を示す包装状態の斜視図である。
【図２】図１のＡ−Ａ断面図である。
【図３】展開した状態の包装用容器の平面図である。
【図４】除湿器と蓋を分離した状態の斜視図である。
【図５】除湿器の使用状態の断面図である。
【図６】本発明の第２の実施形態を示す包装状態の斜視図である。
【図７】本発明の第３の実施形態を示す包装状態の斜視図である。
【符号の説明】
１…包装用容器、２…底面板、３…側面板、３ａ…天面板寄り部分、３ｂ…底面板寄り部分、４…天面板、４ａ…一部分、５…切り取り部、６…空気の流通孔、７…蓋、８…容器取付用孔、９…容器支持用孔、１０…除湿器、１１…容器、１３…フランジ、１３ａ…一部分、１４…シート、１５…防湿性シール、２０…板、２１…一側寄り折り目、２２…中央寄り折り目、２３…切断加工部、２４…切断加工部、２５…スリット、２６…打ち抜き加工部、２７…接着テープ、３０…補助切り取り部。
【図１】
0004171963.tif 000002
【図２】
0004171963.tif 000003
【図３】
0004171963.tif 000004
【図４】
0004171963.tif 000005
【図５】
0004171963.tif 000006
【図６】
0004171963.tif 000007
【図７】
0004171963.tif 000008